【事件の表示】
　特願２０１５−　５６６２３「遊技機」拒絶査定不服審判事件〔平成２８年１０月　６日出願公開、特開２０１６−１７４６９３〕について、次のとおり審決する。
【結　論】
　本件審判の請求は、成り立たない。
【理　由】
第１　手続の経緯  
　本願は、平成２７年３月１９日の出願であって、平成２８年２月１６日付けで拒絶の理由が通知され、平成２８年４月１５日に意見書及び手続補正書が提出され、平成２８年９月２６日付けで最後の拒絶の理由が通知され、平成２８年１２月２日に意見書及び手続補正書が提出されたところ、平成２９年５月１７日付けで補正の却下の決定がなされるとともに拒絶査定がなされ、それに対して、平成２９年８月４日に拒絶査定不服審判の請求がなされると同時に明細書及び特許請求の範囲に係る手続補正がなされたものである。
　
第２　平成２９年８月４日付けの手続補正についての補正却下の決定  
［補正却下の決定の結論］
　平成２９年８月４日付けの手続補正（以下「本件補正」という。）を却下する。
［理由］  
１　補正の内容
　本件補正は、特許請求の範囲を補正する内容を含んでおり、本件補正により、特許請求の範囲の請求項１は、
「【請求項１】
　所定の音を出力することが可能な音出力部と、遊技の状態に応じて前記音出力部から演出音を出力させる演出音出力手段と、を備えた遊技機において、
　所定の操作部の操作に基づいて、前記音出力部から出力される前記演出音の音量値を所定の音量値に設定する音量値設定手段と、
　所定条件の成立に基づいて、前記音量値を設定可能であることを案内する案内報知を行う案内報知手段と、
　所定の表示条件の成立に基づいて、所定の表示部に現在の音量値を示す音量値画像を表示させる音量値報知手段と、を備え、
　前記案内報知手段は、前記所定の表示部に遊技に関する演出画像が表示されているときに前記案内報知を実行し、
　前記音量値報知手段は、前記案内報知の実行中に前記所定の操作部が操作されると前記音量値画像を表示し、
　前記音量値設定手段は、前記案内報知の実行中に前記所定の操作部が操作されても前記音量値を設定せず、前記音量値画像の表示中に前記所定の操作部が操作されると前記音量値を設定することを特徴とする遊技機。」（平成２８年４月１５日付けの手続補正）
から、
「【請求項１】
Ａ　所定の音を出力することが可能な音出力部と、遊技の状態に応じて前記音出力部から演出音を出力させる演出音出力手段と、を備えた遊技機において、
Ｂ　所定の操作部の操作に基づいて、前記音出力部から出力される前記演出音の音量値を所定の音量値に設定する音量値設定手段と、
Ｃ　所定条件の成立に基づいて、前記音量値を設定可能であることを案内する案内報知を行う案内報知手段と、
Ｄ　所定の表示条件の成立に基づいて、所定の表示部に現在の音量値を示す音量値画像を表示させる音量値報知手段と、を備え、
Ｅ　前記音量値設定手段は、
Ｅ１　遊技店員が操作可能な第１操作部の操作に基づいて、前記演出音の音量値を複数の音量値の何れかに設定する第１音量値設定手段と、
Ｅ２　遊技者が操作可能な第２操作部の操作に基づいて、前記第１音量値設定手段によって設定された前記音量値を所定の音量値に設定する第２音量値設定手段と、を有し、
Ｆ　前記案内報知手段は、前記所定の表示部に遊技に関する演出画像が表示されているときに前記案内報知を実行し、
Ｇ　前記音量値報知手段は、前記案内報知の実行中に前記
第２
Ｈ　前記
第２
第２
第２
し、
Ｉ　前記音量値報知手段は、
Ｉ１　前記音量値画像の表示中に前記第２音量値設定手段が前記音量値を設定すると、表示中の前記音量値画像を新たに設定された前記音量値を示す音量値画像に更新可能であり、
Ｉ２　前記音量値画像の表示中に前記第１音量値設定手段が前記音量値を設定すると、表示中の前記音量値画像を新たに設定された前記音量値を示す音量値画像に更新可能である
に補正された（下線は、補正箇所を明示するために審決にて付した。また、当審においてＡ〜Ｉ２に分説した。）。
２　補正の適否について
　上記補正は、補正前の請求項１に記載した発明を特定するために必要な事項である「音量値設定手段」に関して、「
前記音量値設定手段は、遊技店員が操作可能な第１操作部の操作に基づいて、前記演出音の音量値を複数の音量値の何れかに設定する第１音量値設定手段と、遊技者が操作可能な第２操作部の操作に基づいて、前記第１音量値設定手段によって設定された前記音量値を所定の音量値に設定する第２音量値設定手段と、を有し、
第２
第２
第２
し、
前記音量値報知手段は、前記音量値画像の表示中に前記第２音量値設定手段が前記音量値を設定すると、表示中の前記音量値画像を新たに設定された前記音量値を示す音量値画像に更新可能であり、前記音量値画像の表示中に前記第１音量値設定手段が前記音量値を設定すると、表示中の前記音量値画像を新たに設定された前記音量値を示す音量値画像に更新可能である
第２
　そして、本件補正は、新規事項を追加するものではない。
　
３　独立特許要件について
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
　
（１）刊行物１
　原査定の拒絶の理由に引用文献１として引用された特開２００５−２８８０２０号公報（以下「刊行物１」という。）には、図面とともに以下の事項が記載されている。
（１−ａ）「【０００１】
　本発明は、弾球遊技機の技術分野に属する。
【背景技術】
【０００２】
　最近の弾球遊技機では、遊技者の気持ちを盛り上げるために良い音質の音を発生させるようにもなってきた。
　かつては弾球遊技機から発生させられる音は、遊技機の背面に設けられた音量調節器を操作しなければ変更できなかった。つまり、遊技者には音量を操作できなかった。このため、上述の良い音質の音をもっと大きな音で聞きたいと思ったり、何度も聞いたから小さい音でいいと思っても、その音の音量を遊技者の意思によって変更できなかった。
【０００３】
　また、遊技者に期待を与えるために予告やリーチの時には大きな音を出したり、インパクトのある音楽を流したりしているが、この種の音が発生すると、それと気付いた回りの遊技客が自分が遊技している台を覗いてきたりして、遊技に集中できないと感じている人も多数いた。しかし、この場合も、かつての弾球遊技機においては遊技者が音量を調節できなかった。」
（１−ｂ）「【００４１】
　
サブ統合基板９０は、
スピーカ５からの音声出力を制御
図柄変動における音、ランプ、図柄表示装置１５の演出タイミングの同調をはかる
【００４２】
　また、サブ統合基板９０は、操作ボタン７５の操作信号が入力される。詳細は後述するが、
サブ統合基板９０は、操作ボタン７５の操作信号に応じてスピーカ５の音量を変更する
（１−ｃ）「【００５３】
　次に、操作ボタン７５の操作と音量変更等と関係を説明する。
　まず図４を参照してサブ統合基板９０が実行する初期音量設定処理を説明する。この初期音量設定処理においては、サブ統合基板９０は主制御装置３０からの電源投入時であることを示す信号が入力されると（Ｓ１：ＹＥＳ）、音量変更処理により、スピーカ５から出力する音声の音量を初期音量に設定する（Ｓ３）。
初期音量は、サブ統合基板９０に設けられているホール用音量調整スイッチ（図示略）によって、遊技店が設定できる。
　・・・
【００５６】
　このパチンコ機５０においては、遊技状態や図柄の変動状態等に応じて、
遊技者が操作ボタン７５を操作することで音量を調整できる
【００５７】
　
サブ統合基板９０は、音量調整処理を開始すると音量調整可能期間か否かを判断する（Ｓ１１）。
音量調整可能期間中は、
図柄表示装置１５にて「音量調整可能期間」との表示がなされる
【００５８】
　音量調整可能期間であるが（Ｓ１１：ＹＥＳ）、音量表示がなされていない場合には（Ｓ１２：ＮＯ）、操作ボタン７５からの操作信号が入力されると（Ｓ１３：ＹＥＳ）、図柄制御基板４０に指示して図柄表示装置１５に音量表示を行わせ（Ｓ１４）
【００５９】
　
音量表示がなされている場合には（Ｓ１２：ＹＥＳ）
【００６０】
　操作ボタン７５の操作信号が無い期間が一定期間Ａを経過してはいないが（Ｓ１６：ＮＯ）、
一定期間Ｂを経過したときには（Ｓ１９：ＹＥＳ）、それまでの操作ボタン７５の操作信号の入力回数に基づいてスピーカ５から出力する音量を変更し
【００６１】
　
Ｓ１９で否定判断のとき又はＳ２０に続いて、操作ボタン７５からの操作信号が入力されたか否かを判断し（Ｓ２１）、操作信号が入力されているときは（Ｓ２１：ＹＥＳ）、操作信号の入力回数カウントを＋１し音量インジケータ４１による音量表示も１段階更新させる（Ｓ２２）。
（１−ｄ）「【００７１】
　なお、上述のように
操作ボタン７５が操作されると音量インジケータ４１による音量表示が更新されるが（図７Ｂ〜Ｆ）、この段階では実際の音量変化はなく（初期音量、本例ではレベル５のままであり）、操作ボタン７５の操作信号が無い期間が一定期間Ｂを経過したときに実際の音量が変更される。
（１−ｅ）段落【００５３】には「初期音量は、サブ統合基板９０に設けられているホール用音量調整スイッチ（図示略）によって、遊技店が設定できる。」と記載されているから、ホール用音量調整スイッチが設けられたサブ統合基板９０は、遊技店がホール用音量調整スイッチによって初期音量を設定できる機能を有しているといえる。
　また、段落【００５６】には、「遊技者が操作ボタン７５を操作することで音量を調整できる」ことが記載され、段落【００７１】には、「操作ボタン７５が操作されると音量インジケータ４１による音量表示が更新されるが（図７Ｂ〜Ｆ）、この段階では実際の音量変化はなく（初期音量、本例ではレベル５のままであり）、操作ボタン７５の操作信号が無い期間が一定期間Ｂを経過したときに実際の音量が変更される。」と記載されているから、
遊技者が操作ボタン７５を操作すると、初期音量の表示が更新され（この段階では音量が初期音量のまま）、一定時間Ｂを経過したときに音量を変更する機能を有しているといえる。
　よって、刊行物１には、
サブ統合基板９０は、遊技店がホール用音量調整スイッチによって、初期音量を設定できる機能と、遊技者が操作ボタン７５を操作すると、設定された初期音量の表示が更新されて、一定期間Ｂを経過したときに音量を変更する機能と、を有
（１−ｆ）段落【００５７】には、「サブ統合基板９０は、・・・図柄表示装置１５にて「音量調整可能期間」との表示がなされる。」と記載されている。
　また、図７には、図柄表示装置１５（ＬＣＤパネル１５ａ）に遊技に関する画像（「４２３」、「１２８」、変動中であることを示す画像等）が表示されているときに「音量調整可能期間」と表示することが示されている。
　よって、刊行物１には、
サブ統合基板９０は、図柄表示装置１５に遊技に関する画像が表示されているときに「音量調整可能期間」と表示
（１−ｇ）段落【００５７】には、「サブ統合基板９０は、音量調整処理を開始すると音量調整可能期間か否かを判断する（Ｓ１１）。・・・音量調整可能期間中は、・・・図柄表示装置１５にて「音量調整可能期間」との表示がなされる。」と記載され、段落【００５８】には、操作ボタン７５からの操作信号が入力されると（Ｓ１３：ＹＥＳ）、図柄制御基板４０に指示して図柄表示装置１５に音量表示を行わせ」と記載されている。
　よって、刊行物１には、
サブ統合基板９０は、「音量調整可能期間」の表示中に操作ボタン７５が操作されると音量表示を行わせ
（１−ｈ）段落【００５８】には、「音量調整可能期間であるが（Ｓ１１：ＹＥＳ）、音量表示がなされていない場合には（Ｓ１２：ＮＯ）、操作ボタン７５からの操作信号が入力されると（Ｓ１３：ＹＥＳ）、図柄制御基板４０に指示して図柄表示装置１５に音量表示を行わせ（Ｓ１４）」と記載され、段落【００５７】には、「音量調整可能期間中は、・・・図柄表示装置１５にて「音量調整可能期間」との表示がなされる。」と記載されている。
　また、図５のフローチャートを見ても、「操作ボタンからの信号を検出？」（Ｓ１３）でＹＥＳの場合は、「音量表示処理」（Ｓ１４）となっており、「音量調整可能期間」の表示中で音量表示がなされていない場合に操作ボタン７５が操作されると音量表示を行うことが記載されているが、音量値を設定することは記載されていない。
　よって、刊行物１には、サブ統合基板９０は、「音量調整可能期間」の表示中で音量表示がなされていない場合に操作ボタン７５が操作されても音量値を設定しない点が記載されているといえる。
　さらに、段落【００５９】の「音量表示がなされている場合には（Ｓ１２：ＹＥＳ）」に続いて、段落【００６１】には、「Ｓ１９で否定判断のとき又はＳ２０に続いて、操作ボタン７５からの操作信号が入力されたか否かを判断し（Ｓ２１）、操作信号が入力されているときは（Ｓ２１：ＹＥＳ）、操作信号の入力回数カウントを＋１し音量インジケータ４１による音量表示も１段階更新させる（Ｓ２２）。」と記載され、段落【００６０】には、「一定期間Ｂを経過したときには（Ｓ１９：ＹＥＳ）、それまでの操作ボタン７５の操作信号の入力回数に基づいてスピーカ５から出力する音量を変更し」と記載されている。
　以上を踏まえると、刊行物１には、
サブ統合基板９０は、「音量調整可能期間」の表示中で音量表示がなされていない場合に操作ボタン７５が操作されても音量値を設定せず、音量表示がなされている場合に操作ボタン７５からの操作信号が入力されているときには、操作信号の入力回数カウントを＋１し、一定期間Ｂを経過したときには、それまでの操作ボタン７５の操作信号の入力回数に基づいてスピーカ５から出力する音量を変更する機能を有
（１−ｉ）上記（１−ｈ）と同様に、段落【００５９】、【００６１】の記載から、刊行物１には、
サブ統合基板９０は、音量表示がなされている場合に操作ボタン７５からの操作信号が入力されているときには、操作信号の入力回数カウントを＋１し、音量インジケータ４１による音量表示を１段階更新させる
　上記（１−ａ）〜（１−ｄ）の記載事項及び（１−ｅ）〜（１−ｉ）の認定事項を総合すると、刊行物１には、次の発明が記載されていると認められる（以下「刊行物１発明」という。）。
「ａ　音声出力を行うスピーカ５と、図柄変動における音、ランプ、図柄表示装置１５の演出タイミングの同調をはかり、スピーカ５からの音声出力を制御するサブ統合基板９０と（段落【００４１】）、を備えた弾球遊技機において（段落【０００１】）、
ｂ　操作ボタン７５の操作信号に応じてスピーカ５の音量を変更するサブ統合基板９０と（段落【００４２】）、
ｃ　音量調整期間か否かを判断し、音量調整期間中は図柄表示装置１５にて「音量調整可能期間」と表示するサブ統合基板９０と（段落【００５７】）、
ｄ　操作ボタン７５からの操作信号が入力されると、図柄表示装置１５に音量表示を行わせるサブ統合基板９０と（段落【００５７】、【００５８】）、を備え、
ｅ　前記サブ統合基板９０は、
ｅ１　遊技店がホール用音量調整スイッチによって、初期音量を設定できる機能と、
ｅ２　遊技者が操作ボタン７５を操作すると、設定された初期音量の表示が更新されて、一定期間Ｂを経過したときに音量を変更する機能と、を有し（認定事項（１−ｅ））、
ｆ  前記サブ統合基板９０は、図柄表示装置１５に遊技に関する画像が表示されているときに「音量調整可能期間」と表示し（認定事項（１−ｆ））、
ｇ　前記サブ統合基板９０は、「音量調整可能期間」の表示中に操作ボタン７５が操作されると音量表示を行わせ（認定事項（１−ｇ））、
ｈ　前記サブ統合基板９０は、「音量調整可能期間」の表示中で音量表示がなされていない場合に操作ボタン７５が操作されても音量値を設定せず、音量表示がなされている場合に操作ボタン７５からの操作信号が入力されているときには、操作信号の入力回数カウントを＋１し、一定期間Ｂを経過したときには、それまでの操作ボタン７５の操作信号の入力回数に基づいてスピーカ５から出力する音量を変更する機能を有し（認定事項１−ｈ）、
ｉ　前記サブ統合基板９０は、
ｉ１　音量表示がなされている場合に操作ボタン７５からの操作信号が入力されているときには、操作信号の入力回数カウントを＋１し、音量インジケータ４１による音量表示を１段階更新させる弾球遊技機（認定事項（１−ｉ））。」
（２）刊行物２
　前置報告書で引用された特開２０１３−４２８３３号公報（以下「刊行物２」という。）には、図面とともに以下の事項が記載されている。
（２−ａ）「【０２０５】
　
図３５および図３６には、遊技機の前面側と裏面側にそれぞれ音量設定手段としての音量調節スイッチを設けた実施例における演出制御装置３００による音量制御の他の実施例が示されている。
「ボリュームＳＷ」は遊技機裏面側の音量設定手段４６を意味し、「演出ＳＷ」は遊技機前面側の音量調節スイッチ（入力操作部２５）を意味している。
　また、
図３５において、「演出ＳＷ」の後に括弧書きで表示装置と記されているのは、遊技機前面側の表示装置４１に表示される音量レベルを表す画像が表示されることを意味しており、
【０２０６】
　この実施例は、遊技機裏面側の音量調節スイッチ（音量設定器４６）である「ボリュームＳＷ」の設定を上限として、前面側の「演出ＳＷ」の操作による音量レベルの設定を可能にするものである。また、
音量設定器４６が有効にされるかまたは設定が変更されると表示装置４１に、図３６に示すような音量レベルの表示を行う
【０２０７】
　次に、本実施例における具体的な音量調節制御の例について、図３５を用いて説明する。図３５においては、タイミングｔ０で
遊技機裏面側の音量調節スイッチ（音量設定器４６）である「ボリュームＳＷ」の設定が「２」から「４」へ変更されている。すると、演出制御装置３００は、その直後のフレーム更新タイミングｔ１で、１ｓｔＣＰＵ３１１から音源ＬＳＩ３１４へ「音量制御コマンド」を送信する。これにより、スピーカ１９ａ，１９ｂの出力音量レベルが「２」から「４」に変更され
　図３５の期間Ｔ２は「ボリュームＳＷ」の設定が「４」である期間であり、この期間Ｔ２内に、図３６（Ａ）のような表示を見ながら「演出ＳＷ」を操作して、例えば図３５のタイミングｔ２で、音量レベルを「４」から「２」に変更したとすると、その設定がスピーカの出力音量レベルに反映され、その後、演出制御装置３００は音量レベル「２」で遊技演出音の出力を行うように制御する。なお、この「演出ＳＷ」の操作による音量レベルの設定変更は、タイミングｔ３のようにフレーム更新に同期して行われる。」
（２−ｂ）段落【０２０７】には、「遊技機裏面側の音量調節スイッチ（音量設定器４６）である「ボリュームＳＷ」の設定が「２」から「４」へ変更されている。すると、演出制御装置３００は、その直後のフレーム更新タイミングｔ１で、１ｓｔＣＰＵ３１１から音源ＬＳＩ３１４へ「音量制御コマンド」を送信する。これにより、スピーカ１９ａ，１９ｂの出力音量レベルが「２」から「４」に変更され」と記載されている。
　よって、刊行物２には、演出制御装置３００は、ボリュームＳＷの操作に基づいて音量レベルを複数の音量の何れかに設定することが記載されているといえる。
　一方、段落【０２０６】には、「音量設定器４６が有効にされるかまたは設定が変更されると表示装置４１に、図３６に示すような音量レベルの表示を行う」と記載されている。
　また、段落【０２０５】には、「図３５において、「演出ＳＷ」の後に括弧書きで表示装置と記されているのは、遊技機前面側の表示装置４１に表示される音量レベルを表す画像が表示されることを意味しており」と記載されているから、図３５において、「ボリュームＳＷ」（音量設定器４６）の設定が「２」から「４」へ変更された後のｔ１において「演出ＳＷ（表示装置）」における「４」の記載は、音量レベルが４と表示されることを意味することが分かる。
　また、段落【０２０５】には「図３５および図３６には、遊技機の前面側と裏面側にそれぞれ音量設定手段としての音量調節スイッチを設けた実施例における演出制御装置３００による音量制御の他の実施例が示されている。」と記載されているから、音量レベルの変更を含む音量制御は演出制御装置３００が行っているといえる。
　以上を踏まえると、刊行物２には、
演出制御装置３００は、ボリュームＳＷの操作に基づいて音量レベルを複数の音量の何れかに設定し、音量レベルの表示中にボリュームＳＷの設定が変更されると表示中の音量レベルを更新する
　上記（２−ａ）の記載事項及び（２−ｂ）の認定事項を総合すると、刊行物２には、次の発明が記載されていると認められる（以下「刊行物２発明」という。）。
「遊技機前面側に演出ＳＷを設けるとともに、遊技機裏面側にボリュームＳＷを設け、演出制御装置３００により音量制御を行う遊技機において（段落【０２０５】）、
　演出制御装置３００は、ボリュームＳＷの操作に基づいて音量レベルを複数の音量の何れかに設定し、音量レベルの表示中にボリュームＳＷの設定が変更されると表示中の音量レベルを更新する遊技機（認定事項（２−ｂ））。」
（３）対比
　本願補正発明と刊行物１発明とを対比する（下記の見出し（ａ）〜（ｉ１）は、刊行物１発明の構成に対応している。）。
（ａ）刊行物１発明の「音声出力を行うスピーカ５」は、本願補正発明の「所定の音を出力することが可能な音出力部」に相当し、刊行物１発明の「図柄変動における音、ランプ、図柄表示装置１５の演出タイミングの同調をはかり、スピーカ５からの音声出力を制御する」ことは、本願補正発明の「遊技の状態に応じて音出力部から演出音を出力させること」に相当する。
　また、刊行物１発明の「弾球遊技機」は、本願補正発明の「遊技機」に相当する。
　よって、刊行物１発明の「音声出力を行うスピーカ５と、図柄変動における音、ランプ、図柄表示装置１５の演出タイミングの同調をはかり、スピーカ５からの音声出力を制御するサブ統合基板９０と、を備えた弾球遊技機」は、本願補正発明の「所定の音を出力することが可能な音出力部と、遊技の状態に応じて前記音出力部から演出音を出力させる演出音出力手段と、を備えた遊技機」に相当する。
（ｂ）刊行物１発明の「操作ボタン７５」は、本願補正発明の「所定の操作部」に相当し、刊行物１発明の「スピーカ５の音量を変更する」ことにより、所定の音量値に設定することは、自明な事項である。
　よって、刊行物１発明の「操作ボタン７５の操作信号に応じてスピーカ５の音量を変更するサブ統合基板９０」は、本願補正発明の「所定の操作部の操作に基づいて、前記音出力部から出力される前記演出音の音量値を所定の音量値に設定する音量値設定手段」に相当する。
（ｃ）刊行物１発明の「音量調整期間か否かを判断し」、「音量調整期間中」であることは、本願補正発明の「所定条件の成立」に相当し、刊行物１発明の「「音量調整可能期間」と表示する」ことは、本願補正発明の「音量値を設定可能であることを案内する案内報知を行う」ことに相当する。
　よって、刊行物１発明の「音量調整期間か否かを判断し、音量調整期間中は図柄表示装置１５にて「音量調整可能期間」と表示するサブ統合基板９０」は、本願補正発明の「所定条件の成立に基づいて、前記音量値を設定可能であることを案内する案内報知を行う案内報知手段」に相当する。
（ｄ）刊行物１発明の「操作ボタン７５からの操作信号が入力される」ことは、本願補正発明の「所定の表示条件の成立」に相当する。
　また、刊行物１発明の「音量表示」は、現在の音量値の表示であることは明らかであるから、刊行物１発明の「図柄表示装置１５に音量表示を行わせる」ことは、本願補正発明の「現在の音量値を示す音量値画像を表示させる」ことに相当する。
　よって、刊行物１発明の「操作ボタン７５からの操作信号が入力されると、図柄表示装置１５に音量表示を行わせるサブ統合基板９０」は、本願補正発明の「所定の表示条件の成立に基づいて、所定の表示部に現在の音量値を示す音量値画像を表示させる音量値報知手段」に相当する。
（ｅ）刊行物１発明の「ホール用音量調整スイッチ」は、本願補正発明の「第１操作部」に相当する。そして、刊行物１発明の当該「ホール用音量調整スイッチ」は、音量調整を行うスイッチであるから、複数の音量値の何れかに初期音量を設定するものであることは明らかである。
　よって、刊行物１発明の「遊技店がホール用音量調整スイッチによって、初期音量を設定できる機能」は、本願補正発明の「遊技店員が操作可能な第１操作部の操作に基づいて、前記演出音の音量値を複数の音量値の何れかに設定する第１音量値設定手段」に相当する。
　また、刊行物１発明の「操作ボタン７５」は、本願補正発明の「第２操作部」に相当し、刊行物１発明の「設定された初期音量」は、本願補正発明の「第１音量値設定手段によって設定された音量値」に相当する。そして、刊行物１発明の「一定期間Ｂを経過したときに音量を変更する」ことも音量値を設定することに他ならない。
　よって、刊行物１発明の「遊技者が操作ボタン７５を操作すると、設定された初期音量の表示が更新されて、一定期間Ｂを経過したときに音量を変更する機能」は、本願補正発明の「遊技者が操作可能な第２操作部の操作に基づいて、前記第１音量値設定手段によって設定された前記音量値を所定の音量値に設定する第２音量値設定手段」に相当する。
　以上のことから、刊行物１発明の「前記サブ統合基板９０は、遊技店がホール用音量調整スイッチによって、初期音量を設定できる機能と、遊技者が操作ボタン７５を操作すると、設定された初期音量の表示が更新されて、一定期間Ｂを経過したときに音量を変更する機能と、を有」する点は、本願補正発明の「前記音量値設定手段は、遊技店員が操作可能な第１操作部の操作に基づいて、前記演出音の音量値を複数の音量値の何れかに設定する第１音量値設定手段と、遊技者が操作可能な第２操作部の操作に基づいて、前記第１音量値設定手段によって設定された前記音量値を所定の音量値に設定する第２音量値設定手段と、を有」する点に相当する。
（ｆ）刊行物１発明の「図柄表示装置１５に遊技に関する画像が表示され」る点は、本願補正発明の「所定の表示部に遊技に関する演出画像が表示され」る点に相当する。
　よって、刊行物１発明の「前記サブ統合基板９０は、図柄表示装置１５に遊技に関する画像が表示されているときに「音量調整可能期間」と表示」する点は、本願補正発明の「前記案内報知手段は、前記所定の表示部に遊技に関する演出画像が表示されているときに前記案内報知を実行」する点に相当する。
（ｇ）刊行物１発明の「前記サブ統合基板９０は、「音量調整可能期間」の表示中に操作ボタン７５が操作されると音量表示を行わせ」る点は、本願補正発明の「前記音量値報知手段は、前記案内報知の実行中に前記第２操作部が操作されると前記音量値画像を表示」する点に相当する。
（ｈ）刊行物１発明の「「音量調整可能期間」の表示中で音量表示がなされていない場合に操作ボタン７５が操作されても音量値を設定」しない点は、本願補正発明の「前記案内報知の実行中に前記第２操作部が操作されても前記音量値を設定」しない点に相当する。
　また、刊行物１発明の「音量表示がなされている場合に操作ボタン７５からの操作信号が入力されているときに」「それまでの操作ボタン７５の操作信号の入力回数に基づいてスピーカ５から出力する音量を変更する」点は、本願補正発明の「前記音量値画像の表示中に前記第２操作部が操作されると前記音量値を設定」する点に相当する。
　よって、刊行物１発明の「前記サブ統合基板９０は、「音量調整可能期間」の表示中で音量表示がなされていない場合に操作ボタン７５が操作されても音量値を設定せず、音量表示がなされている場合に操作ボタン７５からの操作信号が入力されているときには、操作信号の入力回数カウントを＋１し、一定期間Ｂを経過したときには、それまでの操作ボタン７５の操作信号の入力回数に基づいてスピーカ５から出力する音量を変更する機能を有」する点は、本願補正発明の「前記第２音量値設定手段は、前記案内報知の実行中に前記第２操作部が操作されても前記音量値を設定せず、前記音量値画像の表示中に前記第２操作部が操作されると前記音量値を設定」する点に相当する。
（ｉ１）刊行物１発明の「音量インジケータ４１による音量表示を１段階更新させる」点は、本願補正発明の「表示中の前記音量値画像を新たに設定された前記音量値を示す音量値画像に更新」する点に相当する。
　よって、刊行物１発明の「前記サブ統合基板９０は、音量表示がなされている場合に操作ボタン７５からの操作信号が入力されているときには、操作信号の入力回数カウントを＋１し、音量インジケータ４１による音量表示を１段階更新させる」点は、本願補正発明の「前記音量値報知手段は、前記音量値画像の表示中に前記第２音量値設定手段が前記音量値を設定すると、表示中の前記音量値画像を新たに設定された前記音量値を示す音量値画像に更新可能であ」る点に相当する。
　したがって、本願補正発明と刊行物１発明とは、
「Ａ　所定の音を出力することが可能な音出力部と、遊技の状態に応じて前記音出力部から演出音を出力させる演出音出力手段と、を備えた遊技機において、
Ｂ　所定の操作部の操作に基づいて、前記音出力部から出力される前記演出音の音量値を所定の音量値に設定する音量値設定手段と、
Ｃ　所定条件の成立に基づいて、前記音量値を設定可能であることを案内する案内報知を行う案内報知手段と、
Ｄ　所定の表示条件の成立に基づいて、所定の表示部に現在の音量値を示す音量値画像を表示させる音量値報知手段と、を備え、
Ｅ　前記音量値設定手段は、
Ｅ１　遊技店員が操作可能な第１操作部の操作に基づいて、前記演出音の音量値を複数の音量値の何れかに設定する第１音量値設定手段と、
Ｅ２　遊技者が操作可能な第２操作部の操作に基づいて、前記第１音量値設定手段によって設定された前記音量値を所定の音量値に設定する第２音量値設定手段と、を有し、
Ｆ　前記案内報知手段は、前記所定の表示部に遊技に関する演出画像が表示されているときに前記案内報知を実行し、
Ｇ　前記音量値報知手段は、前記案内報知の実行中に前記第２操作部が操作されると前記音量値画像を表示し、
Ｈ　前記第２音量値設定手段は、前記案内報知の実行中に前記第２操作部が操作されても前記音量値を設定せず、前記音量値画像の表示中に前記第２操作部が操作されると前記音量値を設定し、
Ｉ　前記音量値報知手段は、
Ｉ１　前記音量値画像の表示中に前記第２音量値設定手段が前記音量値を設定すると、表示中の前記音量値画像を新たに設定された前記音量値を示す音量値画像に更新可能である遊技機。」
である点で一致し、以下の点で相違する。
［相違点］
「音量値報知手段」に関して、本願補正発明は、「前記音量値画像の表示中に前記第１音量値設定手段が前記音量値を設定すると、表示中の前記音量値画像を新たに設定された前記音量値を示す音量値画像に更新可能である」のに対して、刊行物１発明は、そのように特定されていない点（構成Ｉ２）。
（４）判断
ア　上記相違点について検討する。
　刊行物２発明には、上記（２）で示したとおり、「遊技機前面側に演出ＳＷを設けるとともに、遊技機裏面側にボリュームＳＷを設け、演出制御装置３００により音量制御を行う遊技機において、演出制御装置３００は、ボリュームＳＷの操作に基づいて音量レベルを複数の音量の何れかに設定し、音量レベルの表示中にボリュームＳＷの設定が変更されると表示中の音量レベルを更新する遊技機。」が開示されている。
　刊行物２発明の「ボリュームＳＷの操作に基づいて音量レベルを複数の音量の何れかに設定」する「演出制御装置３００」は、本願補正発明の「第１音量設定手段」に対応する構成であるから、刊行物２発明は、本願補正発明の構成Ｉ２の構成である「音量値画像の表示中に第１音量値設定手段が音量値を設定すると、表示中の音量値画像を新たに設定された音量値を示す音量値画像に更新可能である」点を含むものである。
　そして、刊行物１発明と刊行物２発明とは、共に遊技店員が操作可能な操作部（刊行物２発明では「ボリュームＳＷ」）と、遊技者が操作可能な操作部（刊行物２では「演出ＳＷ」）と、を有する遊技機である点で共通するものである。
　よって、刊行物１発明における「遊技店がホール用音量調整スイッチによって、初期音量を設定できる機能」を有する「サブ統合基板９０」の構成に、上記刊行物２発明の「演出制御装置３００」の構成を適用し、音量値画像の表示中に音量値を設定すると、表示中の音量値画像を新たに設定された音量値を示す音量値画像に更新可能とし、上記相違点に係る本願補正発明の構成とすることは、当業者が容易になし得たことである。
イ　本願補正発明が奏する効果について
　上記相違点によって本願補正発明が奏する効果は、当業者が刊行物１発明及び刊行物２発明から予測し得る程度のものであって、格別のものではない。　
ウ　まとめ
　以上のように、本願補正発明は、 当業者が刊行物１発明及び刊行物２発明に基づいて容易に発明をすることができたものであるから、特許法第２９条第２項の規定により、特許出願の際独立して特許を受けることができない。
エ　請求人の主張について
　請求人は、審判請求書において「また、補正の前後で発明の解決しようとする課題が完全に同一でないとしても、補正前後で限定された発明特定事項は、技術的に密接に関連するものであって、遊技者による音量調整及び音量値画像の表示に係る技術である点で共通しています。 
　そのため、補正前の発明の解決しようとする課題と、補正後の発明の解決しようとする課題とは、少なくとも同種のものであると考えられます。 
　してみれば、今回の手続補正書では、平成２８年１２月０２日付け手続補正書による補正と同一の補正を行っているため、上述した理由の通りに、補正前後の発明の解決しようとする課題が同一、若しくは、同種のものであると考えられます。 
　このように、本願発明の請求項１に係る補正は、補正前後の発明の解決しようとする課題が同一、若しくは、同種のものであるから、特許法第１７条の２第５項違反には該当しないものと思料致します。」（第７頁第１５〜２８行）と主張する。
　確かに、補正前後で限定された発明特定事項は、遊技者による音量調整及び音量値画像の表示に関する技術である点で共通しており、本願明細書から把握される発明を解決しようとする課題は、「音出力部から出力される演出音の音量を所望の音量に設定することが可能な遊技機を提供することを目的とする」（段落【０００６】）ものであるから、本願発明の請求項１に係る補正は、補正前後の発明の解決しようとする課題が同一であり、特許法第１７条の２第５項に規定する要件を満たすものといえる。
　しかしながら、上記ウで検討したとおり、補正後の本願補正発明は、当業者が刊行物１発明及び刊行物２発明に基づいて容易に発明をすることができたものであるから、特許法第２９条第２項の規定により、特許出願の際独立して特許を受けることができない。
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１　本願発明  
　本件補正は上記のとおり却下されたので、本願の請求項１に係る発明（以下「本願発明」という。）は、平成２８年４月１５日付け手続補正書により補正された特許請求の範囲の請求項１に記載された次のとおりのものである。
「【請求項１】
　所定の音を出力することが可能な音出力部と、遊技の状態に応じて前記音出力部から演出音を出力させる演出音出力手段と、を備えた遊技機において、
　所定の操作部の操作に基づいて、前記音出力部から出力される前記演出音の音量値を所定の音量値に設定する音量値設定手段と、
　所定条件の成立に基づいて、前記音量値を設定可能であることを案内する案内報知を行う案内報知手段と、
　所定の表示条件の成立に基づいて、所定の表示部に現在の音量値を示す音量値画像を表示させる音量値報知手段と、を備え、
　前記案内報知手段は、前記所定の表示部に遊技に関する演出画像が表示されているときに前記案内報知を実行し、
　前記音量値報知手段は、前記案内報知の実行中に前記所定の操作部が操作されると前記音量値画像を表示し、
　前記音量値設定手段は、前記案内報知の実行中に前記所定の操作部が操作されても前記音量値を設定せず、前記音量値画像の表示中に前記所定の操作部が操作されると前記音量値を設定することを特徴とする遊技機。」
２　刊行物  
　刊行物１及びその記載事項、並びに刊行物１発明は、上記「第２　３（１）」に記載したとおりである。  
３　対比・判断  
　本願発明は、本願補正発明を特定するために必要な事項である「音量値設定手段」に関して、「
前記音量値設定手段は、遊技店員が操作可能な第１操作部の操作に基づいて、前記演出音の音量値を複数の音量値の何れかに設定する第１音量値設定手段と、遊技者が操作可能な第２操作部の操作に基づいて、前記第１音量値設定手段によって設定された前記音量値を所定の音量値に設定する第２音量値設定手段と、を有し、
第２
第２
第２
し、
前記音量値報知手段は、前記音量値画像の表示中に前記第２音量値設定手段が前記音量値を設定すると、表示中の前記音量値画像を新たに設定された前記音量値を示す音量値画像に更新可能であり、前記音量値画像の表示中に前記第１音量値設定手段が前記音量値を設定すると、表示中の前記音量値画像を新たに設定された前記音量値を示す音量値画像に更新可能である
第２
　そして、本願発明と刊行物１発明とを対比すると、全ての構成において一致し、相違点はない。また、仮に相違点があったとしても、当業者が容易になし得たものである。
４　むすび  
　以上のとおりであるから、本願発明は、特許法第２９条第１項第３号又は特許法第２９条第２項の規定により特許を受けることができない。  
　したがって、本願は、拒絶されるべきものである。  
　よって、結論のとおり審決する。